(57)【要約】【課題】  多数のノズルからのエアー噴射音及び噴射後の乱流音が機外へ出ないように防音できるとともに、防音手段を講ずることによるメンテナンス上の不利などが生じない除水機を提供する。【解決手段】  コンベアＣを上側から覆う箱形の上部ユニットカバーＤ内に上部エアー噴射ユニットを支持するとともに、該上部ユニットカバーＤを覆う防音カバーＥを本体ハウジングＡ上に開閉可能に装着する。【選択図】  図１
2005345018.tif 000002
【特許請求の範囲】
【請求項１】
本体ハウジングの上部に設置されたコンベアと、本体ハウジング上に配置され、コンベア上を搬送される除水対象物に多数のノズルからエアーを下向きに噴射する上部エアー噴射ユニットと、コンベアの下側で前記本体ハウジング内に配置され、搬送される除水対象物に多数のノズルからエアーを上向きに噴射する下部エアー噴射ユニットとを備えた除水機において、コンベアを上側から覆う箱形の上部ユニットカバー内に前記上部エアー噴射ユニットを支持するとともに、該上部ユニットカバーを覆う防音カバーを本体ハウジング上に開閉可能に装着したことを特徴とする除水機。
【請求項２】
搬送される除水対象物にノズルからエアーを横向きに噴射する側部エアー噴射ユニットを上部ユニットカバー内に支持したことを特徴とする請求項１に記載の除水機。
【請求項３】
防音カバーは、その箱形の本体と該本体の内面を内側から覆う遮音板との間に、吸音材を介在させていることを特徴とする請求項１又は２に記載の除水機。
【請求項４】
防音カバー本体の内面と吸音材との間に間隙を形成するとともに、この間隙に連通する複数の通気孔を遮音板及び吸音材に設け、これら通気孔及び間隙を通じて排気する排気ファンを防音カバー本体に設けたことを特徴とする請求項３に記載の除水機。
【請求項５】
コンベアを上側から覆う箱形の上部ユニットカバー内に上部エアー噴射ユニットと側部エアー噴射ユニットとを支持し、この上部ユニットカバーを、本体ハウジング上に開閉可能にしかもその開閉の支点を防音カバーの開閉の支点に対しコンベアの搬送方向とは直交する方向にずらして装着したことを特徴とする請求項１、２、３又は４に記載の除水機。
【発明の詳細な説明】
【技術分野】
【０００１】
本発明は、除水対象物をコンベアで搬送しながら、付着している水滴等の液体をエアー噴射により除去する除水機に関する。
【背景技術】
【０００２】
本出願人は、この種の除水機として、特許文献１（特許第２９４９６６２号公報）に記載されているように、コンベアと、該コンベア上を搬送される除水対象物に多数のノズルからエアーを下向きに噴射する上部エアー噴射ユニットと、搬送される除水対象物に多数のノズルからエアーを上向きに噴射する下部エアー噴射ユニットと、搬送される除水対象物にノズルからエアーを横向きに噴射する側部エアー噴射ユニットとを備えたものを既に提供している。
【０００３】
このような除水機では、上、下、横の三方の多数のノズルから同時にエアー噴射して、除水対象物に付着している水を強制的にはね飛ばすため、エアー噴射音及び噴射後の乱流音が高く、騒音源となる問題があった。
【特許文献１】特許第２９４９６６２号公報
【発明の開示】
【発明が解決しようとする課題】
【０００４】
本発明の課題は、多数のノズルからのエアー噴射音及び噴射後の乱流音が機外へ出ないように防音できるとともに、防音手段を講ずることによるメンテナンス上の不利などが生じない除水機を提供することにある。
【課題を解決するための手段】
【０００５】
本発明は、本体ハウジングの上部に設置されたコンベアと、本体ハウジング上に配置され、コンベア上を搬送される除水対象物に多数のノズルからエアーを下向きに噴射する上部エアー噴射ユニットと、コンベアの下側で本体ハウジング内に配置され、搬送される除水対象物に多数のノズルからエアーを上向きに噴射する下部エアー噴射ユニットとを備えた除水機において、コンベアを上側から覆う箱形の上部ユニットカバー内に上部エアー噴射ユニットを支持するとともに、該上部ユニットカバーを覆う防音カバーを本体ハウジング上に開閉可能に装着ししたことを特徴とする。
【０００６】
搬送される除水対象物にノズルからエアーを横向きに噴射する側部エアー噴射ユニットを上部ユニットカバー内に支持してもよい。
【０００７】
防音カバーは、その箱形の本体と該本体の内面を内側から覆う遮音板との間に、吸音材を介在させたものである。更に、防音カバー本体の内面と吸音材との間に間隙を形成するとともに、この間隙に連通する複数の通気孔を遮音板及び吸音材に設け、これら通気孔及び間隙を通じて排気する排気ファンを防音カバー本体に設けた構造にすることもできる。
【０００８】
上部エアー噴射ユニットと側部エアー噴射ユニットとを内部に支持した上部ユニットカバーは、本体ハウジング上に開閉可能にしかもその開閉の支点を防音カバーの開閉の支点に対しコンベアの搬送方向とは直交する方向にずらして装着するのが良い。
【発明の効果】
【０００９】
請求項１及び請求項２に係る発明によれば、上部エアー噴射ユニット（更に側部エアー噴射ユニット）を内部に支持した上部ユニットカバーを防音カバーで覆うので、多数のノズルからのエアー噴射音及び噴射後の乱流音が機外へ出ないように防音できる。また、防音カバーは本体ハウジング上で開閉可能になっているので、防音カバーを開いてメンテナンス等を行える。
【００１０】
請求項３に係る発明のように、防音カバーの構造として、ボックス本体とその内面を内側から覆う遮音板との間に吸音材を介在させた構造とすれば、防音効果が良い。
【００１１】
請求項４に係る発明のように、遮音板及び吸音材に設けた通気孔と、吸音材とボックス本体との間の間隙を通じて排気ファンにより排気すれば、除水時に発生する水蒸気等を防音カバー内に留めることなく機外へ排気できる。
【００１２】
請求項５に係る発明によれば、防音カバーと上部ユニットカバーがコンベアに対し同じ方向に開閉できるので、コンベア上を開放してメンテナンス等を行うときに作業性が良い。
【発明を実施するための最良の形態】
【００１３】
次に、本発明の一実施例を図面に基づいて詳細に説明する。
【実施例】
【００１４】
本除水機は、図１及び図２にその全体の外観斜視図、図３に正面図、図４に平面図を示すように、本体ハウジングＡ内の上部に、下部エアー噴射ユニットＢと網状コンベアＣとを設置するとともに、この網状コンベアＣの上側において上部ユニットカバーＤを本体ハウジングＡ上に上下に開閉自在に装着し、更に上部ユニットカバーＤを上側から覆う防音カバーＥを本体ハウジングＡ上に上下に開閉自在に装着している。
【００１５】
図５及び図６に示すように、下部エアー噴射ユニットＢは、偏平矩形の下部エアーボックス１の上面に、多数のスピンノズル２を上向きにして個々に旋回自在に装着したもので、網状コンベアＣの上部Ｃａと下部Ｃｂとの間において本体ハウジングＡ内の上部に抜き差し自在に設置されている。
【００１６】
上部ユニットカバーＤは、網状コンベアＣに対向する下面が開口した箱形で、蝶番４により本体ハウジングＡの上面後部に開閉自在に蝶着されている。図７に示すように、この上部ユニットカバーＤ内において、その天井部に垂設した複数本のガイドロッド３により昇降板５が昇降可能に装架されている。この昇降板５は、上部ユニットカバーＤの天井外部に設けた高さ調整ハンドル５ａにて高さ調整可能になっている。この昇降板５の下側には、偏平矩形の上部エアーボックス６の下面に多数のスピンノズル７を下向きにして個々に旋回自在に装着した上部エアー噴射ユニットＦが着脱自在に装着され、さらにこの上部エアー噴射ユニットＦに側部エアー噴射ユニットＧが垂設されている。側部エアー噴射ユニットＧは、スピンノズル８を横向きにして旋回自在に装着した複数の有底筒体９を、コンベアＣの搬送方向に互いに離し、しかも上部エアーボックス６と内部を連通させてその下面に垂設したものである。
【００１７】
下部エアーボックス１及び上部エアーボックス６には、図３に示すように、本体ハウジングＡ内に設置されたそれぞれに対応する２台のブロア１０からエアーが供給され、下部エアー噴射ユニットＢの多数のスピンノズル２は、コンベアＣ上を搬送されて上部ユニットカバーＤ内に入った除水対象物に、旋回しながら下方から上向きにエアーを噴射し、上部エアー噴射ユニットＦの多数のスピンノズル７は、コンベアＣ上を搬送される除水対象物に旋回しながら上方から下向きにエアーを噴射し、側部エアー噴射ユニットＧの複数のスピンノズル８は、コンベアＣ上を搬送される除水対象物に旋回しながら横からエアーを噴射する。
【００１８】
下部エアー噴射ユニットＢのスピンノズル２、上部エアー噴射ユニットＦのスピンノズル７及び側部エアー噴射ユニットＧのスピンノズル８は、エアー噴射する向きがことなるが個々には実質的に同じ構造であるので、その一個について図８〜図１０を参照して説明する。
【００１９】
各スピンノズルは、パイプノズル１１とこれを旋回自在に軸受けするキャップ状軸受ブロック１２とからなる。図１０に示すように、パイプノズル１１は、その基端部１１ａに対して中間部１１ｂが、軸線と直交するＸ方向へ緩やかに湾曲しているのに対し、先端部１１ｃは、中間部１１ｂに対してＸ方向と直交するＹ方向へ緩やかに湾曲し、先端の噴射口１１ｄが斜めに指向しているため、噴射口１１ｅからのエアーの噴射力によって軸受ブロック１２に対して自動的に旋回する。軸受ブロック１２は雄ねじ付きニップル１２ａを有する。
【００２０】
パイプノズル１１の基端部１１ａの外周には雄ねじ１１ｅが形成され、図９に示すように、この雄ねじ１１ｅに螺合させた２個の第１のナット１３（１個はロック用）と１個の第２のナット１４とでボールベアリング１５を両側から挟持することにより、ボールベアリング１５がパイプノズル１１の基端部１１ａに固定されている。そして、図８及び図９に示すように、軸受ブロック１２の内周面に形成された段部１２ｂと該内周面の雌ねじ１２ｃに螺合させた雄ねじナット１６とでボールベアリング１５を挟持することにより、ボールベアリング１５は軸受ブロック１２内に固定されている。その固定の安定性を高めるため、ボールベアリング１５と雄ねじナット１６との間に皿バネ１７を介在させて雄ねじナット１６で緊締してあり、皿バネ１７は、第２のナット１４の外周に位置して、該ナット１４と軸受ブロック１２の周壁とボールベアリング１５と雄ねじナット１６とで包囲されている。
【００２１】
ボールベアリング１５自体からの発塵を少なくするには、ボールを介在させた内外の軌道輪の軌道面にフッ素樹脂等による固体潤滑膜を形成することにより、又はボールと共にグリースを封入状態とすることにより、通常のボールベアリングに比べて発塵量が格段に低い低発塵性のボールベアリングとすることができる。ボールベアリング１５は、軸受ブロック１２及びパイプノズル１１に対して上記のように固定されているため、雄ねじナット１６を緩めて軸受ブロック１２から外せば、ボールベアリング１５をパイプノズル１１と共に軸受ブロック１２から離脱でき、またナット１３及び１４を緩めてパイプノズル１１から外せば、ボールベアリング１５をパイプノズル１１から離脱できる。
【００２２】
このように構成された各スピンノズルは、軸受ブロック１２のニップル１２ａをエアーボックス１、２又は有底筒体９に設けられているねじ孔に螺合させて、これらに装着される。
【００２３】
上部ユニットカバーＤの両側壁、つまりコンベアＣの搬送方向の下流側の側壁と上流側の側壁に、多数枚の板片を揺動自在に並べて垂設したカーテン１８・１９が設けられており、除水対象物は下流側のカーテン１８をくぐり抜けて上部ユニットカバーＤ内に入って上記のように除水されてから、上流側のカーテン１９をくぐり抜けて上部ユニットカバーＤ外へ出る。上部ユニットカバーＤの天井部の複数箇所には複数の通気孔２０が設けられている。
【００２４】
また、本体ハウジングＡには、水受け皿Ｈが、コンベアＣよりも下側で正面から抜き差し自在となるように装着されており、上記のように上、下、横の三方からのエアー噴射で除水対象物から吹き飛ばされた水はこの水受け皿Ｈ上に落ちて回収される。
【００２５】
本体ハウジングＡ内は、そのなかに設置したブロア１０によるエアー吸引で負圧となるため、本体ハウジングＡ内で発生した塵等が外部へ放出することも防止される。
【００２６】
防音カバーＥは、そのステンレス製本体２１が、図５、図６、図１１及び図１２に示すように、上部ユニットカバーＤを充分な余裕をもって覆うことができる大きさの下面が開口した箱形であって、この本体２１の内面（天井面及び周面）に、遮音板２２を複数箇所のリブ２３により所定の間隔をおいて付設するとともに、この遮音板２２の外面に吸音材２４を付着して、吸音材２４と本体２１の内面との間に空隙２５を形成したものである。この防音カバーＥは、本体ハウジングＡの上面の後端において蝶番２６により開閉自在に蝶着されている。その蝶番２６による開閉の支点は、図６に示すように上部ユニットカバーＤの蝶番４による開閉の支点よりも後方にあって、コンベアＣの搬送方向とは直交する方向にずれており、上部ユニットカバーＤと防音カバーＥとは、コンベアＣに対し同じ方向に開閉できるようになっている。
【００２７】
防音カバーＥの遮音板２２と吸音材２４には、本体２１の天井部の複数箇所において空隙２５に通ずる複数の通気孔２５ａが設けられている。そして、図２及び図４に示すように、防音カバーＥの本体２１の天井部の一箇所に排気ファン２７が設けられ、防音カバーＥで覆われる空間を防音しながら通気孔２５ａを通じて排気できるようになっている。従って、上記のように上部ユニットカバーＤの天井部にも通気孔２０が設けられているため、上部ユニットカバーＤで覆われる空間内も排気できる。
【００２８】
防音カバーＥの両側壁、つまりコンベアＣの搬送方向の下流側の側壁と上流側の側壁にも、上部ユニットカバーＤのカーテン１８・１９と同様のカーテン２８・２９が設けられており、網状コンベアＣによって搬送される除水対象物はこれらのカーテン２８・２９もくぐり抜ける。
【００２９】
防音カバーＥ及び上部ユニットカバーＤの正面壁には、網状コンベアＣによって搬送されながら上記のようなエアー噴射によって除水される除水対象物の様子を外部から目視できるように、透視窓Ｅａ・Ｄａが設けられている。
【００３０】
ところで、図１３に示すように、液体や粉体等の流動物質を収容した包装容器であるスタンディングパウチ５０は、折り畳み可能になっている底部５０ａを拡げた状態で自立するが、これを除水するため、図１４に示すように網状コンベアＣ上にそのまま横倒状態で乗せて搬送すると、収容した内容物の流動性により折り畳み状態になってしまう。そのため、側部エアー噴射ユニットＧのスピンノズル８からのエアーをスタンディングパウチ５０の底部５０ａへ噴射できず、スタンディングパウチ５０の胴部の表裏両面（上下面）については、上部エアー噴射ユニットＦの多数のスピンノズル７と下部エアー噴射ユニットＢの多数のスピンノズル２とで充分に除水できるものの、底部５０ａは除水できない、又は除水が不充分となる。
【００３１】
そこで、この除水機では、図７に示すように、網コンベアＣを横倒状態で搬送されるスタンディングパウチ５０を上側から押圧する押さえユニットＪが、上部エアーボックス６に着脱可能に垂設されている。図１５及び図１６に押さえユニットＪを示す。
【００３２】
押さえユニットＪは、網状コンベアＣの搬送方向に長い長板であるローラホルダ３０に、複数個（図では３個）の押さえローラ３１を、網状コンベアＣの搬送方向に離してボルト・ナットで回転自在に軸支し、このローラホルダ３０を、上部エアーボックス６の下面に垂直に取り付けられた一対のＬ形ブラケット３２に高さ調整可能に架設したものである。
【００３３】
このように構成された押さえユニットＪは、側部エアー噴射ユニットＧに対し網状コンベアＣの中心寄りでこれと対向する位置に設けられているため、図７及びその部分拡大図である図１６に示すように、網状コンベアＣ上を横倒状態で搬送されるスタンディングパウチ５０の胴部を、複数個の押さえローラ３１が回転しながら上側から押圧する。スタンディングパウチ５０内の内容物は流動物質であるため、スタンィングパウチ５０の底部５０ａが、側部エアー噴射ユニットＧのスピンノズル８と対向するところで流動物質の圧力により拡げられ、スピンノズル８から噴射されるエアーを底部全面に受けるので、底部５０ａの除水も充分に行われる。
【００３４】
なお、押さえローラ３１に代えて、網状コンベアＣの搬送方向に長い橇状又は棒状の押さえ部材を用いてもよい。
【図面の簡単な説明】
【００３５】
【図１】本発明の一実施例の除水機の全体斜視図で、防音カバーを開いた状態である。
【図２】防音カバーを開いた状態の同上の斜視図である。
【図３】同じく正面図である。
【図４】同じく平面図である。
【図５】同じく側面図である。
【図６】一部の断面図である。
【図７】同上の更に詳細な断面図である。
【図８】本除水機で用いているスピンノズルの一部切欠側面図である。
【図９】同上の部分拡大図である。
【図１０】スピンノズルの分解図である。
【図１１】上部ユニットカバーとこれを覆う防音カバーの関係を示す平面図である。
【図１２】防音カバーの下から見た断面図である。
【図１３】除水対象物の一例となるスタンィングパウチの斜視図である。
【図１４】スタンィングパウチを押さえる押さえユニットを用いない場合における図７と同様の断面図である。
【図１５】押さえユニットの側面図である。
【図１６】押さえユニットを用いてこれにてスタンィングパウチを押さえた状態の断面図である。
【符号の説明】
【００３６】
Ａ  本体ハウジング
Ｂ  下部エアー噴射ユニット
Ｃ  網状コンベア
Ｄ  上部ユニットカバー
Ｄａ  透視窓
Ｅ  防音カバー
Ｅａ  透視窓
Ｆ  上部エアー噴射ユニット
Ｇ  側部エアー噴射ユニット
Ｈ  水受け皿
Ｊ  押さえユニット
１  下部エアーボックス
２  スピンノズル
３  ガイドロッド
４  蝶番
５  昇降板
５ａ  高さ調整ハンドル
６  上部エアーボックス
７  スピンノズル
８  スピンノズル
９  有底筒体
１０  ブロア
１１  パイプノズル
１１ａ  基端部
１１ｂ  中間部
１１ｃ  先端部
１１ｄ  噴射口
１１ｅ  雄ねじ
１２  軸受ブロック
１２ａ  ニップル
１２ｂ  段部
１２ｃ  雌ねじ
１３・１４  ナット
１５  ボールベアリング
１６  雄ねじナット
１７  皿バネ
１８・１９  カーテン
２０  通気孔
２１  防音カバーの本体
２２  遮音板
２３  リブ
２４  吸音材
２５  空隙
２６  蝶番
２５ａ  通気孔
２７  排気ファン
２８・２９  カーテン
３０  ローラホルダ
３１  押さえローラ
３２  ブラケット
５０  スタンディングパウチ
５０ａ  スタンディングパウチの底部
【図１】
2005345018.tif 000003
【図２】
2005345018.tif 000004
【図３】
2005345018.tif 000005
【図４】
2005345018.tif 000006
【図５】
2005345018.tif 000007
【図６】
2005345018.tif 000008
【図７】
2005345018.tif 000009
【図８】
2005345018.tif 000010
【図９】
2005345018.tif 000011
【図１０】
2005345018.tif 000012
【図１１】
2005345018.tif 000013
【図１２】
2005345018.tif 000014
【図１３】
2005345018.tif 000015
【図１４】
2005345018.tif 000016
【図１５】
2005345018.tif 000017
【図１６】
2005345018.tif 000018